(57)【要約】【課題】自動車やオートバイのナンバープレートの固定部分の形状には、ボルト部と封印部があり、そのボルト部と封印部の２カ所がむき出しの状態である為に、ナンバープレートと車輌本体の間に一体感がなかった。【解決手段】ナンバープレート固定部分２カ所に、キャップを装着する為の専用の部品を取り付け、ナンバープレートの色や車輌の色などと合わせたりして好みの色のキャップを装着し、それによって固定部分２カ所が統一され、見た目のバランスも良くなり、ナンバープレート固定部分であるボルト部分や封印部分がむき出しの状態をなくし、ナンバープレートと車輌本体の間により一層の一体感が生まれることを特徴とするナンバープレート固定部分キャップである。【選択図】　図２
2004082889.tif 000002
【特許請求の範囲】
【請求項１】
自動車やオートバイにはナンバープレートが付いていて、ナンバープレートは車輌にボルトや封印を使って２カ所で固定されており、そのナンバープレート固定部分２カ所に、キャップを装着する為の専用の部品を取り付け、ナンバープレートの色や車輌の色などと合わせたりして好みの色のキャップを装着し、それによって固定部分２カ所が統一され、見た目のバランスも良くなり、ナンバープレート固定部分であるボルト部分や封印部分がむき出しの状態をなくし、ナンバープレートと車輌本体の間により一層の一体感が生まれることを特徴とするナンバープレート固定部分キャップ、キャップはプラスチック製で、無地で多種のカラーがあり、ボルト部分と封印部分共に容易に取トり付ツけ取り外しが可能である。
【請求項２】
キャップの円形平面部に、あらゆるメーカー、ブランド、店のロゴマーク、キャラクター、名前などのデザインを印刷することで、キャップ自体が広告媒体となり、広告媒体となったキャップをナンバープレート固定部分２カ所に装着した車輌が、様々な場所へ移動し、多くの人の目に触れることで、多方面にわたり宣伝効果を生むことを特徴とする請求項１記載のナンバープレート固定部分キャップ。
【発明の詳細な説明】
【０００１】
【発明の属する技術分野】
この発明は、自動車やオートバイのナンバープレートの固定部分の形状に関する。
【０００２】
【従来の技術】
従来の自動車やオートバイのナンバープレート固定部分の形状は、図９に示
すように、ボルト２で固定したものである。また、図８に示すように、固定部分の片方が封印部３とボルト２で固定したものである。
【０００３】
【発明が解決しようとする課題】
しかしながら、以上の従来技術によれば、ナンバープレート固定部分である
ボルト部分や封印部分がむき出しの状態である為にナンバープレートと車輌本体の一体感がなかった。
そこで、この発明は、ナンバープレート固定部分であるボルト部分や封印部分がむき出しの状態をなくし、ナンバープレートと車輌本体の間により一層の一体感を出すために、ナンバープレート固定部分キャップを提供することを課題とする。
【０００４】
【課題を解決するための手段】
以上の課題を解決するために、請求項１の発明は、ナンバープレート固定部分２カ所に、キャップを装着する為の専用の部品を取り付け、ナンバープレートの色や車輌の色などと合わせたりして好みの色のキャップを装着し、それによって固定部分２カ所が統一され、見た目のバランスも良くなり、ナンバープレート固定部分であるボルト部分や封印部分がむき出しの状態をなくし、ナンバープレートと車輌本体の間により一層の一体感が生まれることを特徴とするナンバープレート固定部分キャップである。
また、請求項２の発明は、キャップの円形平面部に、あらゆるメーカー、ブランド、店のロゴマーク、キャラクター、名前などのデザインを印刷することで、キャップ自体が広告媒体となり、広告媒体となったキャップをナンバープレート固定部分２カ所に装着した車輌が、様々な場所へ移動し、多くの人の目に触れることで、多方面にわたり宣伝効果を生むことを特徴とするナンバープレート固定部分キャップである。
【０００５】
【発明の実施の形態】
この発明の一実施形態を、図２に示す。
まず、プラスチック製のアタッチメント６をナンバープレート１上の文字や数字にかからないようにボルトの穴８に合わせボルト２をしめる。そして、プラスチック製のキャップ４の内面には凸部分があり、アタッチメント６の側面には凹部分がある。アタッチメント６の側面とキャップ４の内面の凹凸部分がかみ合うように装着する。凹凸部分の詳細は図４に示す。
次に、封印頭部平面上９に両面テープ５を貼り、その上からキャップ４をかぶせ、図３に示すようにキャップ４の円形平面部裏面１０と両面テープ５の粘着面が接するように装着する。キャップ４は、ボルト部と封印部共に容易に取り付け取り外すことが可能である。
【０００６】
「実施形態の効果」
この実施形態によれば、キャップ４は図５に示す無地で多種のカラーがあり、ナンバープレート固定部分２カ所に両面テープ５やアタッチメント６などの部品を取り付け、ナンバープレートの色や車輌の色などと合わせたりして好みの色のキャップを装着し、それによって固定部分２カ所が統一され、見た目のバランスも良くなり、ナンバープレート固定部分であるボルト部２や封印部３がむき出しの状態をなくし、ナンバープレート１と車輌本体の間により一層の一体感が生まれ、車輌リョウ全体のドレスアップができる。
【０００７】
「他の実施形態」
図２の実施形態では、キャップ４は図５に示す無地で多種のカラーのものであるが、他の実施形態では、キャップ４は図６と図７に示す円形平面部７に、あらゆるメーカー、ブランド、店のロゴマーク、キャラクター、名前などのデザインを印刷したものもある。
【０００８】
【発明の効果】
以上説明したように、この発明によれば、ナンバープレートの固定部分２カ所に、キャップを装着する為の専用の部品を取り付け、ナンバープレートの色や車輌の色などと合わせたりして好みの色のキャップを装着し、それによって固定部分２カ所が統一され、見た目のバランスも良くなり、ナンバープレート固定部分であるボルト部分や封印部分がむき出しの状態をなくし、ナンバープレートと車輌本体の間により一層の一体感が生まれ、車輌全体のドレスアップができる。
【０００９】
また、キャップの円形平面部に、あらゆるメーカー、ブランド、店のロゴマーク、キャラクター、名前などのデザインを印刷することで、キャップ自体が広告媒体となり、広告媒体となったキャップをナンバープレート固定部分２カ所に装着した車輌が、様々な場所へ移動し、多くの人の目に触れることで、多方面にわたり宣伝効果が生まれ販売促進などにつながる。
【図面の簡単な説明】
【図１】この発明の一実施形態を示す斜視図１である。
【図２】この発明の一実施形態を示す斜視図２である。
【図３】封印固定部分を示す断面図である。
【図４】ボルト固定部分を示す断面図である。
【図５】無地で多種のカラーのキャップを示す斜視図である。
【図６】ロゴマークなどのデザインを印刷したキャップの例を示す斜視図である。
【図７】名前などのデザインを印刷したキャップの例を示す斜視図である。
【図８】従来技術を示す斜視図１である。
【図９】従来技術を示す斜視図２である。
【符号の説明】
１　　ナンバープレート　　　　　　　２　　ボルト（部）
３　　封印部　　　　　　　　　　　　４　　キャップ
５　　両面テープ　　　　　　　　　　６　　アタッチメント
７　　円形平面部　　　　　　　　　　８　　ボルトのネジ穴
９　　封印頭部平面部　　　　　　　１０　　円形平面部裏面
【図１】
2004082889.tif 000003
【図２】
2004082889.tif 000004
【図３】
2004082889.tif 000005
【図４】
2004082889.tif 000006
【図５】
2004082889.tif 000007
【図６】
2004082889.tif 000008
【図７】
2004082889.tif 000009
【図８】
2004082889.tif 000010
【図９】
2004082889.tif 000011